(57)【要約】【課題】従来製品の欠点を解消する紫外線エンハンサ（ＵＶＥ）ホルダを提供することである。【解決手段】紫外線エンハンサ（ＵＶＥ）ホルダ（４２４）が外側エンベロープ（５３０）を有し、当該ホルダをランプ（４００）の電線（４２０）に装着し且つランプ内の所望位置に維持する構成を有する。紫外線エンハンサホルダ（４２８）は、第１巻回部（６４２）及び最終巻回部（６４４）を含む複数の巻回部（６４０）を含み、第１巻回部及び最終巻回部が、紫外線エンハンサホルダの外側エンベロープをぴったり受ける形状の貫通路（６４６）を画定する実質的に類似の内径（Ｄ）を有し、前記第１巻回部から吊下する第１脚部が第１巻回部から遠方の、ランプカプセル電線（４１０）に装着するようになっている第１装着領域（６５０）を画定する第１遠位部（６４８）を有する。【選択図】図５
2012253021.tif 000002
【特許請求の範囲】
【請求項１】
外側エンベロープ（５３０）を有するＵＶＥ（４２４）をランプ（４００）のランプ電線（４２０）に装着するための、メタルワイヤ製の紫外線エンハンサ（ＵＶＥ）ホルダ（４２８）であって、
第１巻回部（６４２）及び最終巻回部（６４４）を含む複数の巻回部（６４０）にして、前記第１巻回部（６４２）及び最終巻回部（６４４）が、紫外線エンハンサ（ＵＶＥ）ホルダ（４２４）の外側エンベロープ（５３０）をぴったり受ける形状の貫通路（６４６）を画定する、実質的に類似の内径（Ｄ）を有する複数の巻回部（６４０）と、
前記第１巻回部（６４２）から吊下する第１脚部（５３４）と、
を含み、
前記第１脚部（５３４）が、前記第１巻回部（６４２）から遠方の第１遠位部（６４８）を有し、該第１遠位部が、ランプカプセル電線（４１０）に装着するようになっている第１装着領域（６５０）を画定する、紫外線エンハンサ（ＵＶＥ）ホルダ。
【請求項２】
前記複数の巻回部（６４０）が前記第１巻回部（６４２）及び最終巻回部（６４４）から構成され、前記最終巻回部（６４４）が第２巻回部である請求項１に記載の紫外線エンハンサ（ＵＶＥ）ホルダ。
【請求項３】
前記最終巻回部（６４４）から吊下する第２脚部（５３６）を更に含む請求項１に記載の紫外線エンハンサ（ＵＶＥ）ホルダ。
【請求項４】
前記第２脚部（５３６）が、最終巻回部（６４４）から遠方の第２遠位部（６５２）を有する請求項３に記載の紫外線エンハンサ（ＵＶＥ）ホルダ。
【請求項５】
前記第２遠位部（６５２）が前記第１遠位部（６４８）に隣り合う請求項４に記載の紫外線エンハンサ（ＵＶＥ）ホルダ。
【請求項６】
前記第２遠位部（６５２）が第２装着領域（６５４）を画定する請求項４に記載の紫外線エンハンサ（ＵＶＥ）ホルダ。
【請求項７】
前記第２装着領域（６５４）が、前記第１遠位部（６４８）及びランプ電線（４２０）の少なくとも一方に固定される請求項６に記載の紫外線エンハンサ（ＵＶＥ）ホルダ。
【請求項８】
前記第２装着領域（６５４）が、第１装着領域（６５０）の装着位置と略同一位置でランプカプセル電線（４１０）に装着される請求項６に記載の紫外線エンハンサ（ＵＶＥ）ホルダ。
【請求項９】
前記第２脚部（５３６）及び第１脚部（５３４）が略等しい長さ（Ｌ1、Ｌ2）を有する請求項５に記載の紫外線エンハンサ（ＵＶＥ）ホルダ。
【請求項１０】
ランプカプセル（４０６）と組み合わされ、前記ランプカプセル（４０６）がランプ電線（４２０）及びランプカプセル電線（４１０）と電気的に接続され、前記第１脚部（５３４）が前記ランプ電線（４２０）及びランプカプセル電線（４１０）の少なくとも一方に装着され、ＵＶＥ（４２４）内に配置した電極（５３２）に接続した電線（４２６）が、前記ランプ電線（４２０）及びランプカプセル電線（４１０）の他方に装着される請求項１に記載の紫外線エンハンサ（ＵＶＥ）ホルダ。
【請求項１１】
前記第１脚部（５３４）上に単一の溶接部（５３８）を更に含み、該溶接部（５３８）が前記第１装着領域（６５０）上にあって前記第１脚部（５３４）をランプ電線（４２０）及びランプカプセル電線（４１０）の一方に接続する請求項１０に記載の紫外線エンハンサ（ＵＶＥ）ホルダ。
【請求項１２】
フレームマウントを更に含み、該フレームマウントがランプカプセル（４０６）を支持し且つ第２電線を画定し、第１脚部（５３４）が該フレームマウントの一部に装着される請求項１０に記載の紫外線エンハンサ（ＵＶＥ）ホルダ。
【請求項１３】
紫外線エンハンサ（ＵＶＥ）（４２４）及びホルダサブアセンブリ（４２８）であって、
外側エンベロープ（５３０）を有するランプ（４００）用のＵＶＥ（４２４）と、
前記ＵＶＥ（４２４）をランプ（４００）の電線（４２０）に装着するメタルワイヤ製のホルダ（４２８）にして、第１巻回部（６４２）及び最終巻回部（６４４）を含む複数の巻回部（６４０）を含み、
前記第１巻回部（６４２）及び最終巻回部（６４４）が、前記ＵＶＥ（４２４）の外側エンベロープ（５３０）をぴったり受ける形状とした貫通路（６４６）を画定し、前記外側エンベロープ（５３０）が該貫通路（６４６）内に配置され、
前記第１巻回部（６４２）から吊下する第１脚部（５３４）及び前記最終巻回部（６４４）から吊下する第２脚部（５３６）を更に含み、
前記第１脚部（５３４）が、第１巻回部（６４２）から遠方で且つランプカプセル電線（４１０）に装着するようになっている第１遠位部（６４８）を有し、前記第２脚部（５３６）が、前記最終巻回部（６４４）から遠方の第２遠位部（６５２）を有し、該第２遠位部が第１遠位部（６４８）と類似方向に延伸される紫外線エンハンサ（ＵＶＥ）及びホルダサブアセンブリ。
【請求項１４】
前記第２遠位部（６５２）が第２装着領域（６５４）を画定し、該第２装着領域（６５４）が、第１遠位部（６４８）及びランプカプセル電線（４１０）の少なくとも一方に固定される請求項１３の紫外線エンハンサ（ＵＶＥ）及びホルダサブアセンブリ。
【請求項１５】
ランプカプセル電線（４１０）と組み合わされ、単一の溶接部（５３８）が、前記メタルワイヤ製のホルダ（４２８）を前記ランプカプセル電線（４１０）に連結し、該溶接部（５３８）が、前記第１装着領域（６５０）上に形成される請求項１３に記載の紫外線エンハンサ（ＵＶＥ）及びホルダサブアセンブリ。
【発明の詳細な説明】
【技術分野】
【０００１】
本発明は一般に、メタルハライドランプ用の紫外線（ＵＶ）放射開始源、又は紫外線エンハンサ（ＵＶＥ）に関し、詳しくはＵＶＥホルダに関する。
【背景技術】
【０００２】
メタルハライドアーク放電ランプ（単にメタルハライドランプとも称する）は高発光効率且つ長寿命であるため商業用途で使用されることがある。あるメタルハライドアーク放電ランプ例は硼珪酸ガラス製の外側エンベロープ内に密封した石英又は溶融シリカを含み得る。それ自体が密封されているアーク管が、対向する各端部内にシールしたタングステン製電極を有し得、始動容易化のための水銀、メタルハライド添加物及び又は希ガスを含む充填材を含み得る。例えば高ワット型のあるランプ例では、大気圧未満の圧力下に窒素あるいはその他不活性ガスが外側エンベロープに充填され得る。他の低ワット型のあるランプ例では、外側エンベロープが脱気され得る。
【０００３】
メタルハライドランプは、２つの主電極間又は誘導始動システムに高電圧を印加して始動させる構成を有し得る。ＵＶエンハンサを含まないメタルハライドランプの場合はより高電圧のパルスを印加してアバランシェ始動電子を釈放させる必要が生じ得る。この場合アバランシェ始動電子は、アーク管壁面の浅いトラップ内の電荷からの電界放出または電界引出しにより電極から釈放されると考えられる。しかしながら、それらのランプを挿通するソケットの全てがランプ始動に必要な高電圧を受ける容量を持つ訳ではない。
【０００４】
従って、紫外線エンハンサ（ＵＶＥ）としても知られる始動用補助具をそれらランプに設け得る。従来のあるＵＶＥ例は、ガス又はガス混合物、例えば水銀蒸気及び不活性ガス（アルゴン、ヘリウム、クリプトン、ネオン、又はキセノン）を含み得るシールしたキャビティを持つカプセルを含み得る。このキャビティ内に電極を延伸させ、放電容器電極の１つから電圧を提供させ得る。始動電圧を印加するとカプセル内で容量放電が開始され、カプセルからＵＶ放射が生じてランプ内に光電子が釈放され、かくしてランプ始動要求電圧が低下し得る。
【０００５】
あるメタルハライドランプ例は外側バルブ内に放電容器を含み得る。放電容器はランプ始動用電圧を受ける２つの電極を有し得る。外側バルブ内にはＵＶＥが位置付けられ、電極の一方に連結される。ＵＶＥは外側の電極に接近して位置決めされ、かくして容量カップリングを可能とする。この容量カップリングによりＵＶＥ内のガスが部分的にイオン化してＵＶ光を放出し、かくしてランプ始動を支援する。
【０００６】
ある用途では、ＵＶＥをランプ内の特定位置に保持する構成を有する保持手段を設けることが望ましい場合があり得る。保持手段を使用するランプ例は、ＥＰ２１５１８５０Ａ２（ｉｓｈｉｄａ）、Ｕ．Ｓ．Ｐ．Ｐｕｂ．２００８／０１６９７４４（Ｆｏｒｔｕｎａ）、Ｕ．Ｓ．Ｐ．６，３９２，３４３（Ｌｕｉｊｋｓ）、Ｕ．Ｓ．Ｐ．５，２４８，２７３（Ｎｏｒｔｒｕｐ）、Ｕ．Ｓ．Ｐ．５，１２２，７０６（Ｐａｒｒｏｔ）、及びＵ．Ｓ．Ｐ．４，８１８，９１５（Ｚａｓｌａｖｓｋｙ）に見い出し得る。
【０００７】
図１にはメタルハライド放電ランプ例の側面図が示され、従来の保持手段でランプ内の然るべき位置に保持したＵＶＥを含んでいる。一般に、メタルハライド放電ランプ１００はランプエンベロープ１０２と、当該エンベロープ１０２の一端に固定したベース１０４とを含み得る。図示の如く、ベース１０４は電源への接続を容易化する構成を有し得る。ランプエンベロープ１０２の内側空間内にはマウントアセンブリが格納される。マウントアセンブリは、光源、ランプカプセル又はアーク管１０６、シュラウド１０８、マウント用フレーム１１０を含み得る。例示例ではアーク管１０６はシュラウド１０８内に位置決めされ得、当該アーク管１０６及びシュラウド１０８がエンベロープ１０２内でマウント用フレーム１１０で支持され得る。
【０００８】
図示の如く、アーク管１０６は第１及び第２の各電極１１２、１１４を含み得る。マウント用フレーム１１０は非絶縁性で且つ導電性のものであって第１電線として作用し得、第１導線１１６が、導電性のマウント用フレーム１１０の一部をアーク管１０６の第１電極１１２に電気的に接続する。更に、第２導線１１８が、アーク管１０６の第２電極１１４を第２導線１２０に電気的に接続し得る。マウント用フレーム１１０の一部と第２導線１２０とがベース１０４位置でランプステム部分１２２を貫通する。
【０００９】
図示の如く、導電性のマウント用フレーム１１０及び第２導線１２０はエンベロープ１０２の外側のベース１０４と電気的に接続され、ランプ１００の、特にアーク管１０６を賦活させる構成を有する。言い換えると、電気的エネルギーはベース１０４、第２導線１２０、マウント用フレーム１１０、第１及び第２の各導線１１６、１１８を介してアーク管１０６にカップリングされ得る。アーク管１０６は、その内部でのアーク開始時に光を提供するケミカルフィル又は少量の材料を格納し得る。
【００１０】
ランプ１００はランプエンベロープ１０２内に配置した始動補助具又はＵＶＥ１２４を更に含み得る。ＵＶＥ１２４は、このＵＶＥ１２４から延伸するＵＶＥ電線１２６を介し、ランプ１００の少なくとも第２導線１２０に電気的に接続され得る。またランプ１００は、ランプエンベロープ１０２内でＵＶＥ１２４を所望の位置に保持する構成を有する保持手段１２８を含み得、当該保持手段１２８はその一部分がマウント用フレーム１１０の一部に連結される。
【００１１】
図２は図１の部分拡大側面図であって、ＵＶＥ１２４が従来の保持手段１２８により然るべく保持され、図３は図２の線３−３に沿った断面である。図２を参照するに、ＵＶＥ１２４はエンベロープ２３０と、このエンベロープ２３０内にシールした電極２３２とを含み得る。電極２３２はＵＶＥ電線１２６に連結され得、また第２導線１２０に連結される。ＵＶＥ１２４に関するその他詳細は先に示したＵ．Ｓ．Ｐ．４，８１８，９１５に記載される。図２及び図３を参照するに、従来の保持手段１２８はＵＶＥ１２４のエンベロープ２３０の周囲に巻き付けた金属箔の単一ストリップ（以下、箔ストリップ１２８とも称する）を含み得る。箔ストリップ１２８はその各端部位置に配置した第１脚部２３４及び第２脚部２３６を含み得る。製造中、箔ストリップ１２８の少なくとも第１脚部２３４が、第１ウェルド２３８によりマウント用フレーム１１０の一部に連結される。更に、箔ストリップ１２８はＵＶＥ１２４を保持し、かくして箔ストリップ１２８をＵＶＥ１２４の周囲で曲げ且つ賦形させるための、例えばニッケル等の可撓性材料を含み得る。ＵＶＥ１２４の周囲に箔ストリップ１２８を巻き付けた後、第２脚部２３６を第２溶接部２４０により箔ストリップ１２８の一部に連結してＵＶＥ１２４を固定し得る。
【００１２】
多くの用途上、ＵＶＥはメタルハライドランプ内の特定位置に確実且つ正確に配置されることが望ましい。既存のＵＶＥ保持手段、例えば、上述した箔ストリップには構造上及び又は機能上の欠点がある。例えば、説明した箔ストリップに関しては、製造時に箔ストリップをＵＶＥのガラス製エンベロープ周囲に接近させる必要上、ＵＶＥ周囲への箔ストリップ巻き付け時にガラスが損傷され及び又は破壊され得る。更には、ＵＶＥ用の箔ストリップホルダはその構造上、第１及び第２のウェルド等の、少なくとも２つの連結点を必要とし得る。これは組み立て時間及び製造コストのみならず、溶接ポイント関連のエラーの恐れを増大させ得る。
【先行技術文献】
【特許文献】
【００１３】
【特許文献１】ＥＰ２１５１８５０Ａ２
【特許文献２】Ｕ．Ｓ．Ｐ．Ｐｕｂ．２００８／０１６９７４４
【特許文献３】Ｕ．Ｓ．Ｐ．６，３９２，３４３
【特許文献４】Ｕ．Ｓ．Ｐ．５，２４８，２７３
【特許文献５】Ｕ．Ｓ．Ｐ．５，１２２，７０６
【特許文献６】Ｕ．Ｓ．Ｐ．４，８１８，９１５
【発明の概要】
【発明が解決しようとする課題】
【００１４】
従来製品の欠点を解消する紫外線エンハンサ（ＵＶＥ）ホルダを提供することである。
【課題を解決するための手段】
【００１５】
本発明によれば、従来製品の欠点を解消する、外側エンベロープを有するＵＶＥをランプの電線に装着するための、メタルワイヤ製の紫外線エンハンサ（ＵＶＥ）ホルダであって、
第１巻回部及び最終巻回部を含む複数の巻回部にして、前記第１巻回部及び最終巻回部が、紫外線エンハンサ（ＵＶＥ）ホルダの外側エンベロープをぴったり受ける形状の貫通路を画定する、実質的に類似の内径（Ｄ）を有する複数の巻回部と、
前記第１巻回部から吊下する第１脚部と、
を含み、
前記第１脚部が、前記第１巻回部から遠方の第１遠位部を有し、該第１遠位部が、ランプカプセル電線に装着するようになっている第１装着領域を画定する紫外線エンハンサ（ＵＶＥ）ホルダが提供される。
【図面の簡単な説明】
【００１６】
【図１】従来の保持手段によりランプ内で然るべく保持されたＵＶＥを含むメタルハライド放電ランプの側面図である。
【図２】図１のランプの、ＵＶＥを従来の保持手段で然るべく保持したランプの部分拡大側面図である。
【図３】図２を線３−３に沿って切断した断面図である。
【図４】本発明のＵＶＥホルダでランプ内に然るべく保持したＵＶＥを含むメタルハライド放電ランプの側面図である。
【図５】ＵＶＥホルダで然るべく保持したＵＶＥを示す、図４のランプの部分拡大側面図である。
【図６】図４のＵＶＥホルダの拡大側面図である。
【図７】図４のＵＶＥホルダの拡大正面図である。
【図８】図５を線８−８に沿って切断した断面図である。
【発明を実施するための形態】
【００１７】
一般に、本件出願はＵＶＥホルダに関する。ＵＶＥホルダは、外側エンベロープを有するＵＶＥをランプの電線に装着し、且つＵＶＥをランプ内の所望位置に維持する構成を有し得る。ＵＶＥホルダは、第１巻回部及び最終巻回部を含む複数の巻回部を含み得る。第１及び最終の各巻回部は実質的に類似の内径を有し得、当該内径が、ＵＶＥの外側エンベロープをぴったり受ける形状の貫通路を画定する。ＵＶＥホルダは第１巻回部から吊下する第１脚部を含み、当該第１脚部はランプカプセルの電線に装着するようになっている第１アタッチメントを画定する。
【００１８】
本発明のＵＶＥホルダは、既存のＵＶＥホルダと比較してＵＶＥを損傷及び又は破壊する恐れがずっと低く、しかも一層確実にフィットさせる構成を有する。しかも、本発明のＵＶＥホルダはコンポーネント数及び又は連結点数が最小であり、かくして組み立て時間が減少し且つ製造コストが低減する。
図４にはメタルハライド放電ランプの側面図が示され、本発明に従うＵＶＥホルダによりランプ内に然るべく保持したＵＶＥを含んでいる。これらメタルハライド放電ランプ及びＵＶＥの各実施例は図１に示すそれと類似のものであり、図１と同じコンポーネントは４００番台とした同じ参照番号で示される。
【００１９】
一般に、メタルハライド放電ランプ４００はランプエンベロープ４０２と、ランプエンベロープ４０２の一端に固定したベース４０４とを含み得る。図示されるように、ベース４０４は電源への接続が容易な構成を有し得る。ランプエンベロープ４０２の内側空間内にはマウントアセンブリが格納される。マウントアセンブリは、光源、ランプカプセル又はアーク管４０６、シュラウド４０８、ランプカプセル電線または第２電線としてのマウント用フレーム４１０を含み得る。例示実施例ではアーク管４０６はシュラウド４０８の内部に位置決めされ、アーク管４０６とシュラウド４０８とはエンベロープ４０２内でマウント用フレーム４１０により支持され得る。
【００２０】
ランプ４００は、ベース４０４の位置から延伸する第１電線４２０を含み得る。更に、マウント用フレーム４１０は非絶縁性且つ導電性を有し得、ランプ４００の第２電線又はランプカプセル電線として作用し得る。図示の如く、アーク管４０６は第１及び第２の各電極４１２、４１４を含み得、第１導線４１６が、導電性のマウント用フレーム４１０の一部をアーク管４０６の第１電極４１２に電気的に接続し得る。また、第２導線４１８が、アーク管４０６の第２電極４１４を第１電線４２０に電気的に接続し得る。マウント用フレーム４１０の一部と第１電線４２０とがベース４０４位置でランプステム部分４２２を貫通する。
【００２１】
図示の如く、第１電線４２０と、導電性のマウント用フレーム４１０（第２電線）とはエンベロープ４０２の外側でベース４０４に電気的に接続され、ランプ４００、特にアーク管４０６を賦活する構成を有する。言い換えると、電気的エネルギーは、ベース４０４、第１電線４２０、マウント用フレーム４１０（第２電線）、第１及び第２の各導線４１６、４１８を介してアーク管４０６に連結され得る。アーク管４０６は、その内部でアークが開始された場合に光を提供するケミカルフィル又は少量の材料を格納し得る。
【００２２】
ランプ４００はランプエンベロープ４０２の内部に配置した始動補助体又はＵＶＥ４２４を更に含み得る。ＵＶＥ４２４は、このＵＶＥ４２４から延伸するＵＶＥ電線４２６を介し、ランプ４００の少なくとも第１電線４２０に電気的に接続され得る。更に、ランプ４００はＵＶＥ４２４をランプエンベロープ４０２内の所望位置に保持する構成を有するＵＶＥホルダ４２８を含み得、ＵＶＥホルダ４２８の一部はマウント用フレーム４１０の一部に連結される。
図５には図４のランプ４００の部分拡大側面図が示され、ＵＶＥ４２４がＵＶＥホルダ４２８により然るべく位置決めされている。図６及び図７には図４のＵＶＥホルダ４２８の部分拡大側面図及び正面図が夫々示される。図５を参照するに、ＵＶＥ４２４は外側エンベロープ５３０と、この外側エンベロープ５３０内にシールした電極５３２とを含み得る。電極５３２はＵＶＥ電線４２６に連結され得、更にはＵＶＥ電線４２６により第１導線４２０に連結され得る。ＵＶＥホルダ４２８は複数の巻回部として形成した単一の連続するワイヤを含み得、前記巻回部は、ＵＶＥ４２４の外側エンベロープ５３０を受ける構成とした少なくとも第１巻回部及び最終巻回部（図６には示さず）を含み、第１脚部５３４が第１巻回部から吊下し、第２脚部５３６が最終巻回部から吊下する。第１脚部５３４の少なくとも一部がマウント用フレーム４１０の少なくとも一部に連結され得る。例示実施例では第１脚部５３４の少なくとも一部が、単一の溶接部５３８を介してマウント用フレーム４１０（第２電線）の少なくとも一部に連結され得る。
【００２３】
図６を参照するに、ＵＶＥホルダ４２８は複数の巻回部状に形成した一本の連続ワイヤを含み得、複数の巻回部６４０は第１巻回部６４２と最終巻回部６４４とを含み得る。例示実施例では複数の巻回部６４０は２つの巻回部、即ち、第１巻回部６４２と、最終巻回部としての第２巻回部６４４のみを含み得る。複数の巻回部６４０はＵＶＥ４２４の外側エンベロープ５３０の少なくとも一部をぴったりと受けるよう形状付け及び又は寸法付けした貫通路６４６を画定し得る。
第１脚部５３４が第１巻回部６４２から、また第２脚部５３６が第２巻回部６４４から夫々吊下され得る。第１脚部５３４は第１巻回部６４２から遠方にあり、且つ第１装着領域６５０を画定するマウント用フレーム４１０（第２電線）の少なくとも一部に装着するようになっている第１遠位部６４８を有し得る。
【００２４】
同様に、第２脚部５３６は第２巻回部６４４から遠方にあり、且つ第１脚部５３４の第１遠位部６４８に隣り合う第２遠位部６５２を有し得る。第２遠位部６５２は、マウント用フレーム４１０（第２電線）の少なくとも一部に装着するようになっている第２装着領域６５４を画定し得る。更に、第２装着領域６５４は、第１脚部５３４の第１遠位部６４８及び又は第１装着領域６５０に装着するようにされ得る。貫通路６４６は実質的に長手方向の軸線Ａを画定し得、第１脚部５３４及び第２脚部５３６は当該軸Ａに実質的に直交する。第１脚部５３４は第１長さＬ1を有し得、第２脚部５３６は第２長さＬ2を有し得、Ｌ1はＬ2に略等しい。
【００２５】
図５及び図８に示すように、第２脚部５３６の第２装着領域６５４は単一の溶接部５３８を介し、マウント用フレーム４１０に連結され得る。他の実施例では、第２脚部５３６の第２装着領域６５４は、第１脚部５３４の第１装着領域６５０と略同一位置でマウント用フレーム４１０に連結され得る。
図７に示すように、第１巻回部６４２及び最終巻回部６４４を含む複数の巻回部６４０の各内径Ｄは実質的に類似である。内径Ｄは貫通路６４６を画定する。図８には図５を線８−８に沿って切断した断面図が示される。図８に示すように、ＵＶＥ４２４の外側エンベロープ５３０の少なくとも一部は複数の巻回部６４０により画定される貫通路６４６内に配置される。
【００２６】
ＵＶＥホルダ４２８は１本の連続ワイヤを含み得、このワイヤは、先に説明した如く、その構成上、複数の巻回部６４０等の所望ディメンションに曲げ及び又は賦形される可撓性、弾性、及び耐性を有する材料を含み得る。当該材料には、例えばモリブデンが含まれ得る。１実施例ではモリブデン製ワイヤはＬａ2Ｏ3ドーピングされた公称０．３重量パーセントを有し得る。また、当該ワイヤの内部又は表面上の不純物は１００ｐｐｍ未満とすべきである。ワイヤ直径における許容誤差は±２．０％であり得る。モリブデン製ワイヤの１グラム当たりの表面カーボン量は６０マイクログラムを超過し得ない。
【００２７】
本発明に従うＵＶＥホルダは既存のＵＶＥホルダと比較して、損傷及び又は破壊の恐れを低減しつつ、より確実な嵌合を提供する構成を有する。例えば、ＵＶＥホルダ４２８の第２脚部５３６は、ＵＶＥホルダ４２８及び又はＵＶＥ４２４にねじり力等を加えた場合に追加的安定性を提供する構成を有し得る。更には、実質的に類似の内径を有する複数の巻回部６４０が、外側エンベロープ５３０へのＵＶＥ４２４の一貫した且つ確実な嵌合を可能とし得る。
【００２８】
また、本発明に従うＵＶＥホルダは、コンポーネント数及び又は連結点数が最小であるため、組み立て所要時間が減少し、製造コストが低減する。例えば、ＵＶＥホルダ４２８の組み立てに要する溶接部は、説明した従来の保持手段では２カ所であるのに対し１箇所（溶接部５３８）である。ＵＶＥホルダ４２８は、ランプ組み立てプロセス中の形成を要するのではなくむしろランプ組み立て前に予め形成し得る。
【００２９】
本発明に従う１実施例において、紫外線エンハンサ（ＵＶＥ）ホルダ４２８は、外側エンベロープ５３０を有するＵＶＥ４２４をランプ４００の電線４２０に装着し、且つ当該ＵＶＥ４２４をランプ４００内で所望位置に維持する構成を有し得る。ＵＶＥホルダ４２８は第１巻回部６４２及び最終巻回部６４４を含む複数の巻回部６４０を含み得る。第１巻回部６４２及び最終巻回部６４４は実質的に類似の内径Ｄにして、ＵＶＥ４２４の外側エンベロープ５３０をぴったり受ける形状とした貫通路６４６を画定する内径Ｄを有し得る。ＵＶＥホルダ４２８は第１巻回部６４２から吊下する第１脚部５３４を更に含み得、当該第１脚部５３４が、その第１巻回部６４２から遠方の第１遠位部６４８にして、マウント用フレーム４１０に装着するようになっている第１装着領域６５０を画定する第１遠位部６４８を有し得る。
【００３０】
本発明に従う他の実施例では紫外線エンハンサ（ＵＶＥ）４２４及びＵＶＥホルダ４２８がランプ４００用のＵＶＥ４２４を含み得、当該ＵＶＥ４２４が外側エンベロープ５３０を有する。ＵＶＥホルダ４２８が、ＵＶＥ４２４をランプ４００の電線４２０に装着するメタルワイヤホルダ４２８を含み得る。メタルワイヤホルダ４２８は第１巻回部６４２及び最終巻回部６４４を含む複数の巻回部６４０を含み得る。第１巻回部６４２及び最終巻回部６４４はＵＶＥ４２４の外側エンベロープ５３０をぴったり受ける形状とした貫通路６４６を画定し得、前記外側エンベロープ５３０が前記貫通路６４６内に配置され得る。メタルワイヤホルダ４２８は、第１巻回部６４２から吊下する第１脚部５３４と、最終巻回部６４４から吊下する第２脚部５３６とを更に含み得る。第１脚部５３４は、第１巻回部６４２から遠方の第１遠位部６４８にして、マウント用フレーム４１０に装着するようになっている第１装着領域６５０を画定する第１遠位部６４８を有し得る。第２脚部５３６は、最終巻回部６４４から遠方の第２遠位部６５２にして、第１遠位部６４８と類似方向に延伸する第２遠位部６５２を有し得る。
以上、本発明を実施例を参照して説明したが、本発明の内で種々の変更をなし得ることを理解されたい。
【符号の説明】
【００３１】
４００  メタルハライド放電ランプ
４０２  ランプエンベロープ
４０４  ベース
４０６  アーク管
４０８  シュラウド
４１０  マウント用フレーム
４１２  第１電極
４１４  第２電極
４１６  第１導線
４１８  第２導線
４２０  第１電線
４２２  ランプステム部分
４２６  ＵＶＥ電線
４２８  ＵＶＥホルダ
５３０  外側エンベロープ
５３２  電極
５３４  第１脚部
５３６  第２脚部
５３８  溶接部
６４０  複数の巻回部
６４２  第１巻回部
６４４  最終巻回部
６４６  貫通路
６４８  第１遠位部
６５０  第１装着領域
６５２  第２遠位部
６５４  第２装着領域
【図１】
2012253021.tif 000003
【図６】
2012253021.tif 000004
【図７】
2012253021.tif 000005
【図２】
2012253021.tif 000006
【図３】
2012253021.tif 000007
【図４】
2012253021.tif 000008
【図５】
2012253021.tif 000009
【図８】
2012253021.tif 000010